(57)【要約】【課題】  金属製の鍵や錠機構等においても無線通信可能な赤外線を利用した無線通信を行うとともに、従来の遊技機にも容易に採用可能な管理手段を備えた遊技機を提供する。【解決手段】  鍵２１をシリンダ錠１３に差し込むと、赤外線送受信手段３０の錠発光ダイオード３２から常時発信されている呼出発光信号は、鍵タグ２９の鍵受光ダイオード２５で受信される。そして、鍵タグ２９は、鍵ＥＥＰＲＯＭ２７に予め登録されている鍵識別情報を呼び出し、その鍵識別情報を含めた赤外線からなる返信発光信号を鍵発光ダイオード２４から送信する。Ｒ／Ｗユニット８３は、赤外線送受信手段３０を介してその返信発光信号を錠受光ダイオード３３で受信すると、ＥＥＰＲＯＭ８７に予め登録されている遊技機識別情報と比較し判定を行う。【選択図】  図５
2005065864.tif 000002
【特許請求の範囲】
【請求項１】
少なくとも一方の移動によって相対距離が変化する第一の部材と第二の部材とからなる可動部を一又は複数組備えており、
少なくとも一組の可動部において、
一方の部材には、呼出信号を受信すると記憶されている第１の固有の識別情報を含む応答信号を返信するＩＤタグを取り付ける一方、
他方の部材には、ＩＤタグに対して呼出信号を送信し、ＩＤタグからの応答信号を受信する送受信手段を、所定位置でのみＩＤタグとの間で無線通信可能となるように取り付け、
そのＩＤタグと送受信手段との間の無線通信を制御するとともに、その無線通信の可否によって前記可動部の状況を管理する管理手段を備えた遊技機であって、
少なくとも一組の可動部において行われる無線通信は、赤外線を利用した無線通信であることを特徴とする遊技機。
【請求項２】
前記赤外線を利用した無線通信は、
一方の通信面に、少なくとも赤外線送受信を行う赤外線通信手段を備えるとともに第１の固有の識別情報を記憶した赤外線ＩＤタグを取り付ける一方、
他方の通信面に、前記赤外線ＩＤタグとの間で赤外線送受信可能な赤外線送受信手段を取り付け、
該赤外線送受信手段には、前記赤外線ＩＤタグと前記赤外線送受信手段との間で行われる赤外線送受信を制御するとともに、第２の固有の識別情報が登録された赤外線管理手段が接続されており、
前記赤外線管理手段は、前記赤外線送受信手段を介して呼出信号を含む赤外線送信を行い、
前記赤外線ＩＤタグは、呼出信号を含む赤外線送信を受信すると、前記第１の固有の識別情報を含む赤外線送信を行い、
前記赤外線管理手段は、前記呼出信号を含む赤外線送信を行ってから所定時間内に前記赤外線ＩＤタグからの第１の固有の識別情報を含む赤外線送信を受信したか否かを判定するとともに、前記赤外線送受信手段において前記第１の固有の識別情報を含む赤外線送信を受信すると、その第１の固有の識別情報と、予め登録されている第２の固有の識別情報とを比較し判定を行う、
ものであることを特徴とする請求項１に記載の遊技機。
【請求項３】
前記可動部には、他の可動部を所定姿勢で保持するための鍵及び錠機構を備えた施錠部が含まれており、
鍵には赤外線ＩＤタグを取り付ける一方、
錠機構には赤外線送受信手段を、前記鍵が差し込まれた場合にのみ前記赤外線ＩＤタグと赤外線送受信可能となるような所定位置に取り付けることを特徴とする請求項２に記載の遊技機。
【請求項４】
前記可動部には、遊技機本体を支持する機枠及びその機枠に開閉自在に取り付けられた遊技枠と、遊技枠及びその遊技枠に開閉自在に取り付けられた前面枠とが含まれているとともに、
前記施錠部の錠機構が、前記遊技枠に設けられていることを特徴とする請求項３に記載の遊技機。
【請求項５】
前記遊技枠及び／又は前記前面枠における無線通信が通信不可能となった場合であって、且つ前記赤外線管理手段における、前記第１の固有の識別情報と前記第２の固有の識別情報との比較の結果、第１の固有の識別情報と第２の固有の識別情報とが一致しない場合には、前記赤外線管理手段は正常でないと判断することを特徴とする請求項４に記載の遊技機。
【請求項６】
前記遊技枠及び／又は前記前面枠における無線通信が通信不可能となった場合であって、且つ前記赤外線送受信手段において、前記第１の固有の識別情報を含む赤外線送信を受信していない場合には、前記赤外線管理手段は正常でないと判断することを特徴とする請求項４に記載の遊技機。
【請求項７】
前記赤外線管理手段は時刻を計時するタイマと記憶手段とを備えており、
正常でないと判断した場合には、前記第１の固有の識別情報を、受信した時刻に関連づけて記憶することを特徴とする請求項５または６に記載の遊技機。
【請求項８】
前記赤外線管理手段は、正常でないと判断した場合に、その旨を出力手段によって出力することを特徴とする請求項２〜７のいずれかに記載の遊技機。
【請求項９】
前記赤外線ＩＤタグは、赤外線の照射により起電力を生じ、動作可能となることを特徴とする請求項２〜８のいずれかに記載の遊技機。
【発明の詳細な説明】
【技術分野】
【０００１】
本発明は、パチンコ機等の遊技機に関するものである。
【背景技術】
【０００２】
通常のパチンコ機は、特許文献１に示されているように、パチンコ機本体を支持する機枠が設けられており、その機枠の前方にミドル枠が着脱自在に取り付けられている。そして、ミドル枠にはガラス板等が設置された前面枠、供給皿、貯留皿等が着脱自在に取り付けられている。また、ミドル枠には遊技盤や機構板等も設置されており、ミドル枠及びミドル枠に取り付けられたものを合わせて遊技枠と称する。しかしながら、このようなパチンコ機においては、不正部材を用いて遊技枠や前面枠等を開放し、不正に利益を得ようとするような行為が行われることがある。そこで、そのような不正行為を防止するために特願２００２−２４６００４に開示されているような錠機構及び監視手段を備えたパチンコ機が考案されている。
【０００３】
【特許文献１】特開２００１−１６２００８号公報
【０００４】
特願２００２−２４６００４に開示されているパチンコ機１０１は、図１２に示されているように、機枠１０２に対して遊技枠１０３が片開き自在に取り付けられたものである。機枠１０２の側面内側（遊技枠１０３を閉じた際に遊技枠と対峙する面）には機枠タグ１０４が固着されている。一方、遊技枠１０３側であって機枠タグ１０４と対峙する箇所には機枠アンテナ１０５が固着されており、機枠タグ１０４と機枠アンテナ１０５との間でＲＦＩＤ（Radio  Frequency  identification）通信（無線通信）が可能となっている。
また、パチンコ機１０１は鍵１０６、シリンダ１０７等からなる施錠部を備えており、鍵１０６の持ち手部１０８上部に鍵タグ１０９が内蔵されている。一方、シリンダ１０７の上方であって、鍵１０６をシリンダ１０７に差し込んだ際に鍵タグ１０９と対峙する位置には、鍵アンテナ１１０が取り付けられている。そして、鍵１０６をシリンダ１０７に差し込んだ際、鍵タグ１０９と鍵アンテナ１１０との間でＲＦＩＤ（Radio  Frequency  identification）通信（無線通信）が可能となっている。
さらに、機枠アンテナ１０５及び鍵アンテナ１１０は、パチンコ機１０１に設置されたリーダ／ライタユニット（以下、Ｒ／Ｗユニットとする）に接続されている。
【０００５】
以上のように構成されたパチンコ機１０１では、Ｒ／Ｗユニットにおいて、機枠タグ１０４と機枠アンテナ１０５との間のＲＦＩＤ通信及び鍵タグ１０９と鍵アンテナ１１０との間のＲＦＩＤ通信を制御し、パチンコ機１０１の遊技枠の開閉状況を監視するようになっている。
【発明の開示】
【発明が解決しようとする課題】
【０００６】
しかしながら、特願２００２−２４６００４に開示されているような、鍵タグ１０９と鍵アンテナ１１０との間で行われるＲＦＩＤ通信は、電波または電磁誘導を用いて行うものであるため、電波及び電磁誘導の性質上、金属に非常に影響を受けやすく、金属がタグ及びアンテナの近くに存在するだけで、磁界の乱れ等をきたし正確に作動できない場合もある。
したがって、このように金属の影響を受けやすい鍵タグ１０９及び鍵アンテナ１１０を、金属で形成されることの多い鍵やシリンダ及びその付近等で使用すると、誤作動を引き起こしやすいものとなってしまう可能性がある。また、電波または電磁誘導を用いたＩＣタグとアンテナとを用いたものは、指向性が比較的弱く、電波または電磁誘導を傍受される可能性もある。
さらに、電波及び電磁誘導を利用する場合、上記したような性質があるため、特願２００２−２４６００４のパチンコ機１０１では、鍵１０６の持ち手部１０８を縦長に形成し、少しでも金属から遠い位置に鍵タグ１０９を固着するようにしている。しかしながら、遊技機のシリンダ部の形状は、メーカーによって多種多様（特に凹凸の状態）に形成されており、シリンダ部の形状によっては、従来の遊技機に特願２００２−２４６００４のような特異な形状の鍵１０６を利用する手段を備えることは困難であった。また、そのように鍵１０６の形状とシリンダ部の形状とが合わない場合には、鍵タグ１０９を鍵アンテナ１１０とＲＦＩＤ通信可能な距離まで接近させることができない。
【０００７】
そこで、本発明は、上記従来の遊技機が有する問題点を解消し、金属製の鍵や錠機構等においても無線通信可能な赤外線を利用した無線通信を行うとともに、従来の遊技機にも容易に採用可能な管理手段を備えた遊技機を提供しようとするものである。
【課題を解決するための手段】
【０００８】
上記目的を達成するために、請求項１に記載の発明は、少なくとも一方の移動によって相対距離が変化する第一の部材と第二の部材とからなる可動部を一又は複数組備えており、少なくとも一組の可動部において、一方の部材には、呼出信号を受信すると記憶されている第１の固有の識別情報を含む応答信号を返信するＩＤタグを取り付ける一方、他方の部材には、ＩＤタグに対して呼出信号を送信し、ＩＤタグからの応答信号を受信する送受信手段を、所定位置でのみＩＤタグとの間で無線通信可能となるように取り付け、そのＩＤタグと送受信手段との間の無線通信を制御するとともに、その無線通信の可否によって前記可動部の状況を管理する管理手段を備えた遊技機であって、少なくとも一組の可動部において行われる無線通信は、赤外線を利用した無線通信であることを特徴とするものである。
また、請求項２に記載の発明は、前記赤外線を利用した無線通信は、一方の通信面に、少なくとも赤外線送受信を行う赤外線通信手段を備えるとともに第１の固有の識別情報を記憶した赤外線ＩＤタグを取り付ける一方、他方の通信面に、前記赤外線ＩＤタグとの間で赤外線送受信可能な赤外線送受信手段を取り付け、該赤外線送受信手段には、前記赤外線ＩＤタグと前記赤外線送受信手段との間で行われる赤外線送受信を制御するとともに、第２の固有の識別情報が登録された赤外線管理手段が接続されており、前記赤外線管理手段は、前記赤外線送受信手段を介して呼出信号を含む赤外線送信を行い、前記赤外線ＩＤタグは、呼出信号を含む赤外線送信を受信すると、前記第１の固有の識別情報を含む赤外線送信を行い、前記赤外線管理手段は、前記呼出信号を含む赤外線送信を行ってから所定時間内に前記赤外線ＩＤタグからの第１の固有の識別情報を含む赤外線送信を受信したか否かを判定するとともに、前記赤外線送受信手段において前記第１の固有の識別情報を含む赤外線送信を受信すると、その第１の固有の識別情報と、予め登録されている第２の固有の識別情報とを比較し判定を行う、ものであることを特徴とするものである。
さらに、請求項３に記載の発明は、請求項２に記載の発明に加えて、施錠部の監視を行うために、前記可動部には、他の可動部を所定姿勢で保持するための鍵及び錠機構を備えた施錠部が含まれており、鍵には赤外線ＩＤタグを取り付ける一方、錠機構には赤外線送受信手段を、前記鍵が差し込まれた場合にのみ前記赤外線ＩＤタグと赤外線送受信可能となるような所定位置に取り付けることを特徴とするものである。
さらにまた、請求項４に記載の発明は、請求項３に記載の発明に加えて、遊技枠及び前面枠の開閉状況をも監視するために、前記可動部には、遊技機本体を支持する機枠及びその機枠に開閉自在に取り付けられた遊技枠と、遊技枠及びその遊技枠に開閉自在に取り付けられた前面枠とが含まれているとともに、前記施錠部の錠機構が、前記遊技枠に設けられていることを特徴とするものである。
また、請求項５に記載の発明は、不正行為のより確実な摘発を可能とするために、前記遊技枠及び／又は前記前面枠における無線通信が通信不可能となった場合であって、且つ前記赤外線管理手段における、前記第１の固有の識別情報と前記第２の固有の識別情報との比較の結果、第１の固有の識別情報と第２の固有の識別情報とが一致しない場合には、前記赤外線管理手段は正常でないと判断することを特徴とするものである。
さらに、請求項６に記載の発明は、不正行為のより確実な摘発を可能とするために、前記遊技枠及び／又は前記前面枠における無線通信が通信不可能となった場合であって、且つ前記赤外線送受信手段において、前記第１の固有の識別情報を含む赤外線送信を受信していない場合には、前記赤外線管理手段は正常でないと判断することを特徴とするものである。
さらにまた、請求項７に記載の発明は、不正行為に関する情報をより詳細なものとするために、前記赤外線管理手段は時刻を計時するタイマと記憶手段とを備えており、正常でないと判断した場合には、前記第１の固有の識別情報を、受信した時刻に関連づけて記憶することを特徴とするものである。
また、請求項８に記載の発明は、不正行為を一層摘発しやすくするために、前記赤外線管理手段は、正常でないと判断した場合に、その旨を出力手段によって出力することを特徴とするものである。
加えて、請求項９に記載の発明は、より利便性の向上を図るために、前記赤外線ＩＤタグは、赤外線の照射により起電力を生じ、動作可能となることを特徴とするものである。
【発明の効果】
【０００９】
本発明によれば、赤外線ＩＤタグと赤外線送受信手段との間における送受信において、金属に影響されにくい赤外線を利用している。そして、赤外線を利用する回路はより小型化が可能である。したがって、赤外線送受信手段は、金属で形成されることの多い鍵のような狭いスペースにも組み込むことが可能であり、従来より使用されている鍵に設置することができる。よって、本発明に係る遊技機は、従来の遊技機の鍵及び錠機構のみを付け替え、管理手段を搭載させるだけで製造可能であり、従来の遊技機を廃棄・全体を交換する必要性がないため、非常に生産性及び経済性に優れており、環境にも配慮することができる。また、赤外線ＩＤタグ及び赤外線送受信手段等を金属により形成された部材や金属部材付近に設置したとしても誤作動等を引き起こす心配はない。
さらに、赤外線は、電磁波や電波等と比較して指向性が強いという特性を有しているため、遊技機の施錠部はより秘匿性に優れており、合い鍵等の作製が非常に困難である。したがって、遊技機は、遊技枠及び前面枠が不正に開放される事態を効果的に防止することができる。
加えて、特に請求項３に記載の発明とすると、本発明に係る遊技機は、錠機構に鍵が差し込まれた場合、赤外線管理手段において、鍵の赤外線ＩＤタグに記憶された第１の固有の識別情報と、赤外線管理手段に予め登録されている第２の固有の識別情報とを比較し判定するため、不正な鍵の利用等を発見しやすく、よって不正行為を効果的に防止することができる。
さらにまた、請求項５に記載の発明とすると、遊技枠及び前面枠のどちらか一方でも開放された状態にあるにもかかわらず、赤外線管理手段における第１の固有の識別情報と第２の固有の識別情報との比較判定の結果、不一致であった場合には、不正行為が行われている可能性があると判断する構成であるため、より不正を確実に監視することが可能である。したがって、遊技機の防犯性をより高めることができる。
また、請求項６に記載の発明とすると、遊技枠及び前面枠のどちらか一方でも開放された状態にあるにもかかわらず、赤外線ＩＤタグと赤外線送受信手段との間における認証動作が行われていない場合には、赤外線管理手段は直ちに不正に遊技枠及び前面枠が開放されている可能性があると判断するため、より不正を確実に監視することが可能である。したがって、遊技機の防犯性をより高めることができる。
加えて、請求項７に記載の発明とすると、赤外線管理手段はタイマ及び記憶手段を備えており、鍵の赤外線ＩＤタグに記憶された第１の固有の識別情報と、赤外線管理手段に予め登録されている第２の固有の識別情報とを比較した結果、不一致であった場合に、第１の固有の識別情報を、受信した時刻に関連づけて記憶手段に記憶するため、何時どの鍵が利用されたのかを容易に知ることができる。
さらに、請求項８に記載の発明とすると、不正に遊技枠が開放されている可能性がある旨を出力手段によって出力する構成であるため、パチンコホールの店員や周囲の人が、より早く、そして容易に不正行為を発見することができる。したがって、遊技機の防犯性をより高めることができる。
さらに、請求項９に記載の発明とすると、赤外線ＩＤタグは赤外線の照射により起電力を生じ、動作可能となるため、鍵を外部の電源に接続する必要がなく、非常に利便性及び経済性に優れた遊技機とすることができる。
【発明を実施するための最良の形態】
【００１０】
以下、本発明に係る遊技機の一実施形態であるパチンコ機について、図面に基づき、次の目次の順序にしたがって、詳細に説明する。
（１）実施例のパチンコ機の概要
（２）実施例のパチンコ機の構造
（３）実施例のパチンコ機の動作内容
（４）実施例のパチンコ機の効果
（５）本発明の変更例の説明
【００１１】
（１）実施例のパチンコ機の概要
本実施例に係るパチンコ機は、パチンコ機本体を支持する機枠（可動部）に、ミドル枠（可動部）が着脱自在に蝶着されているとともに、そのミドル枠に、ガラス板等が設置された前面枠（可動部）、供給皿（可動部）、貯留皿（可動部）等が着脱自在に取り付けられているものである。以下、ミドル枠及びミドル枠に取り付けられている前面枠等を合わせて遊技枠（可動部）とする。また、本実施例に係るパチンコ機には、鍵、錠機構等からなる施錠部が設けられており、その施錠部を動作させることによって遊技枠及び前面枠を開閉することができる。
【００１２】
さらに、機枠に対する遊技枠の開閉状況を監視するために、機枠にはＲＦＩＤ通信可能で機枠識別情報（第１の固有の識別情報）を記憶した機枠タグ（ＩＤタグ）、遊技枠には機枠タグとＲＦＩＤ通信可能な機枠アンテナ（送受信手段）がそれぞれ設置されており、機枠タグと機枠アンテナとの間のＲＦＩＤ通信の可否によって、遊技枠の開閉状況を監視するようになっている。また、前面枠の開閉状況を監視するために、前面枠にはＲＦＩＤ通信で前面枠識別情報（第１の固有の識別情報）を記憶した前面枠タグ（ＩＤタグ）、遊技枠には前面枠タグとＲＦＩＤ通信可能な前面枠アンテナ（送受信手段）がそれぞれ設置されており、前面枠タグと前面枠アンテナとの間のＲＦＩＤ通信の可否によって、前面枠の開閉状況を監視するようになっている。
このような、各ＩＤタグとアンテナとの間で行われるＲＦＩＤ通信は常時（２４時間）行われており、可動部の開閉状況をリアルタイムで監視している。
【００１３】
さらにまた、施錠部において使用される鍵を認証するために、鍵には赤外線送受信可能で鍵識別情報（第１の固有の識別情報）を記憶した鍵タグ（赤外線ＩＤタグ）、錠機構には鍵タグとの間で赤外線送受信可能な所定位置に赤外線送受信手段がそれぞれ設置されており、錠機構に鍵を差し込んだ際に、鍵タグと赤外線送受信手段との間で赤外線送受信を行うことによって、差し込まれた鍵を認証するようになっている。
加えて、上記各アンテナ及び赤外線送受信手段はパチンコ機に設けられた赤外線管理手段（管理手段を兼ねる）に接続されており、その赤外線管理手段において、各ＲＦＩＤ通信及び赤外線送受信を制御するようになっている。また、赤外線管理手段には、パチンコ機が設置されたホールで使用される鍵識別情報や機枠識別情報等からなる遊技機識別情報（第２の固有の識別情報）が予め登録されている。さらに、赤外線管理手段にはタイマ及びＥＥＰＲＯＭ（記憶手段）等も備えられている。
そして、遊技枠及び前面枠が開放されているにもかかわらず、赤外線管理手段において、赤外線送受信手段が受信した鍵識別情報と赤外線管理手段に登録されている遊技機識別情報とが適合しない等の正常でない状態が検知された場合には、赤外線管理手段のＥＥＰＲＯＭに受信した鍵識別情報を受信した時刻に関連づけて記憶するとともに、遊技枠及び前面枠が不正に開放された可能性があることを出力手段によって出力するようになっている。
【００１４】
（２）実施例のパチンコ機の構造
図１は、パチンコ機１の正面を示したものであり、図２は、遊技枠３及び前面枠４を片開きにした状態のパチンコ機１を前方から見た斜視図である。図３は、遊技枠３及び前面枠４を片開きにした状態のパチンコ機１を後方から見た斜視図である。
パチンコ機１は、上下面および左右両側面が機枠２によって覆われており、機枠２の前面には、金属板を折り曲げ形成したミドル枠を有する遊技枠３が、左端縁（前方から見て）を軸として着脱自在に蝶着されている。また、遊技枠３の前面は、前面枠４が左端縁を軸として着脱自在に蝶着された状態となっており、前面枠４の下方には、発射装置２０に遊技球を供給するための供給皿６８、供給皿６８から溢れた遊技球を貯留する貯留皿６９が設置されている。さらに、貯留皿６９の右側には、発射装置２０を操作するための発射ハンドル７０が設けられている。加えて、遊技枠３は、遊技球払出装置５２等を設置した機構板５１や、略正方形の遊技盤８等を備えている。この遊技盤８には、誘導レール９で囲まれた略円形の遊技領域１０が設けられている。さらに、図３の如く、遊技枠３の開放側端縁には、機枠２に対して遊技枠３を閉じた状態で保持するための、鉤状の係止部材１１、１１、第１の連結部材１２、鍵２１、及び錠機構であるシリンダ錠１３等からなる施錠部７が設置されている。
【００１５】
図４はシリンダ錠１３及び鍵２１の説明図である。以下、図２、図３及び図４に基づいて施錠部７について説明する。
シリンダ錠１３は鍵２１を差し込んで回動させることによって解錠するものであって、遊技枠３の開放側端縁に取り付けられている。施錠部７の係止部材１１、１１、第１の連結部材１２等の構成は、従来より一般的に用いられているものであって、長尺な金属板状に形成された第１の連結部材１２が遊技枠３の右端縁に上下へスライド可能に設けられており、その上下端には先端が傾斜状に形成た係止部材１１、１１が夫々回転可能に取り付けられている。また、図２及び図３に示されているように、前面枠４を閉じた状態に保つための係合部材１８、１８が遊技枠３の右端縁から突出した状態で第２の連結部材１９に回動可能な状態で取り付けられている。
そして、施錠時においては、機枠２に係止部材１１、１１が係合することで、遊技枠３を閉じた状態に保持している。しかしながら、鍵２１をシリンダ錠１３に差し込んだ状態で右回りに回動させることで、第１の連結部材１２の上下動にともなって係止部材１１、１１が回動し、遊技枠３を開放させることができる。
一方、係合部材１８、１８が前面枠４に係合することで、前面枠４を閉じた状態で保持している。しかしながら、鍵２１をシリンダ錠１３に差し込んだ状態で左回りに回動させることで、第２の連結部材１９の上下動にともなって係合部材１８、１８が回動し、前面枠４が遊技枠３に対して片開きの状態とすることができる。
【００１６】
ここで、鍵２１とシリンダ錠１３とにおける赤外線送受信を利用した無線通信について説明する。図５は鍵タグ及び赤外線送受信手段の制御機構を示したブロック図であり、図６は鍵２１の部分拡大図である。
鍵２１は、シリンダ錠１３に挿入する突出部２２と持ち手部３６とからなっている。突出部２２は、従来よりよく見受けられる鍵同様に、鍵の先端独特の凹凸や切り欠き等が設けられている。その突出部２２の一方の面に凹部２３が設けられており、その凹部２３内に鍵発光ダイオード２４、鍵受光ダイオード２５、ＣＰＵ２６、鍵ＥＥＰＲＯＭ２７等により構成される鍵回路（赤外線通信手段）２８が組み込まれた鍵タグ（赤外線ＩＤタグ）２９が固着されている。鍵タグ２９は凹部２３内に完全に収まっており、各ダイオード等が突出していることはない。なお、鍵ＥＥＰＲＯＭ２７には鍵固有のＩＤコード等を含む鍵識別情報（第１の固有の識別情報）が記憶されている。
【００１７】
また、シリンダ錠１３の内面（鍵２１の突出部２２が差し込まれた際に、その突出部２２と向かい合う面）であって、鍵を差し込んだ場合に鍵タグ２９と向かい合う位置（所定位置）には、錠回路３１が組み込まれた赤外線送受信手段３０が固着されている。錠回路３１は、錠発光ダイオード３２、錠受光ダイオード３３等により構成されている。錠発光ダイオード３２及び錠受光ダイオード３３は、赤外線送受信手段３０と鍵タグ２９とが向かい合った際に、それぞれ鍵受光ダイオード２５及び鍵発光ダイオード２４と対峙するように取り付けられている。また、錠回路３１は後述する赤外線管理手段であるリーダ／ライタユニット（以下、Ｒ／Ｗユニットとする）８３に伝送線９５を介して接続されている。さらに、錠回路３１における錠発光ダイオード３２からは、常時、呼出コードを含む赤外線からなる呼出発光信号（呼出信号）が発信（赤外線送信）されている。
【００１８】
かかる鍵タグ２９は、赤外線送受信手段３０との間で、発光ダイオード及び受光ダイオードを介して所定の波長の赤外線の送受信を行うことが可能であり、赤外線送受信手段３０から送信された呼出コードを含む呼出発光信号を受信すると、予め鍵ＥＥＰＲＯＭ２７に記憶された鍵識別情報を含む返信発光信号（応答信号）を送信（赤外線送信）する。また、その返信発光信号の送信は、鍵ＥＥＰＲＯＭ２７から鍵識別情報を呼び出し、その鍵識別情報を返信発光信号にのせて鍵発光ダイオード２４から送信することによって行われる。さらに、鍵タグ２９の鍵回路２８は、赤外線送受信手段３０から送信された呼出発光信号を鍵受光ダイオード２５を介して受信する際、鍵受光ダイオード２５が赤外線に照射されることにより、略乾電池１個分の直流電圧を得ることができる。したがって、外部からの電源供給を受けることなく、呼出発光信号を受信した場合にはいつでも、返信発光信号を送信することができる。
そして、赤外線送受信手段３０では、鍵タグからの返信発光信号を受信すると、返信発光信号に含まれている鍵識別情報等をＩＲ回路８９を介してＲ／Ｗユニット８３へと伝送する。
【００１９】
一方、図２及び図３に示されているように、遊技枠３の開放側端面には、無線通信を行う機枠アンテナ１５が固着されているとともに、機枠２の開放側側面内側であって、遊技枠３を閉じた際に、その機枠アンテナ１５と対峙する箇所には、無線通信を行う機枠タグ１４が固着されている。
図７は、機枠タグ１４の外観を示したものであり、図８は機枠タグ１４の制御機構を示したブロック図である。機枠タグ１４は、薄いフレキシブルプリント基板５５上に、ＲＦ回路５６とＥＥＰＲＯＭ５７とを一体にしたＩＣチップ５８、及び送受信回路５９を設けたものであり、ＲＦ回路５６にＥＥＰＲＯＭ５７と送受信回路５９とが接続された状態になっている。そして、ＥＥＰＲＯＭ５７の上書消去禁止区域には、機枠タグ１４を他のＩＤタグと識別するための機枠識別情報が記憶されている。
【００２０】
かかる機枠タグ１４は、機枠アンテナ１５との間で、所定の周波数（ここでは、１３．５６ＭＨｚ）を利用して、ノイズの影響が比較的に少ないＲＦ（Radio  Frequency）送受信を行うことが可能であり、呼出波を受信すると、予め記憶された機枠識別情報を含む反射波を、所定の通信範囲（約１０ｍｍ）内に出力（返信）するように設定されている。なお、その反射波は、合成樹脂やガラスなどの非金属を通過する。また、反射波の返信は、ＥＥＰＲＯＭ５７からＩＤコード等の機枠識別情報を読み出し、その機枠識別情報を反射波にのせてＲＦ回路５６から送信することによって行われる。さらに、機枠タグ１４は、送信された呼出波を送受信回路５９が受信し、呼出波に含まれた搬送波成分をＲＦ回路５６で整流することによって直流電圧を得ることができるため、外部からの電源供給を受けることなく、必要な時にいつでも反射波を返信することができる。加えて、機枠タグ１４は、呼出波にのせて送信された特定のデータ（開閉の履歴等）をＥＥＰＲＯＭ５７に記憶しておくことができる。
【００２１】
また、上述したように、遊技枠３の右側面には、機枠アンテナ１５が固着されている（図２参照）。図９は、機枠アンテナ１５を示したものであり、機枠アンテナ１５は、硬質な合成樹脂（ポリカーボネート）製のプリント基板６０の表面に、送受信回路６１が渦巻き状に形成されている。そして、送受信回路６１の両端縁の端子６２、６２に、同軸ケーブル６３が接続されており、機枠アンテナ１５は後述するＲ／Ｗユニット８３へと同軸ケーブル６３を介して接続されている。
なお、機枠タグ１４及び機枠アンテナ１５は、電磁波を媒体としたＲＦ送受信を行うものであるため、誤動作（呼出波の受信エラー等）を防止する目的で、電磁波に影響を及ぼしやすい金属製の部材（たとえば、シリンダ錠１３）から離れた位置に固着されている。
【００２２】
一方、前面枠４は、フレーム４１と２枚のガラス板４２ａ、４２ｂ等によって構成されている。フレーム４１の中央には円形の遊技窓４３が穿設されている。また、フレーム４１の後側の周縁際には、前後に２列の嵌合溝４４、４４が設けられている。そして、それらの嵌合溝４４、４４に、それぞれ約３ｍｍの厚みを有する偏平なガラス板４２ａ、４２ｂ（透明板）が嵌め込み設置されており、所定の間隔（約８ｍｍ）を隔てて平行に配置した状態になっている。さらに、図１に示すように、前面枠４の上端際には、電光掲示方式により種々のメッセージを表示可能な表示器（出力手段）４５が設置されている。そして、遊技領域１０の前方が内側のガラス板４２ａによって閉塞されることによって偏平な円柱状の遊技空間が形成されており、遊技球が流下可能になっている。
【００２３】
また、遊技領域１０の略中央には、液晶画面を有する図柄表示装置４７が設けられている。図柄表示装置４７は、種々の動画やメッセージ等を液晶画面に表示することができるようになっている。さらに、図柄表示装置４７の下側には、図柄始動口４８が設けられており、図柄始動口４８の下方には、開閉扉４９を有するアタッカ装置５０が設けられている。
【００２４】
さらに、図２に示されているように、前面枠４の裏側上端縁には、無線通信を行う前面枠タグ１６が固着されているとともに、遊技枠３の右上端縁であって、前面枠４を閉じた際に、その前面枠タグ１６と対峙する箇所には、無線通信を行う前面枠アンテナ１７が固着されている。
前面枠タグ１６及び前面枠アンテナ１７は、機枠タグ１４及び機枠アンテナ１５とそれぞれ同一の構成を有するものであり、前面枠タグ１６のＥＥＰＲＯＭには、前面枠タグ１６を他のＩＤタグと識別するための前面枠識別情報が記憶されている。また、前面枠タグ１６及び前面枠アンテナ１７も誤動作を防止する目的で、電磁波に影響を及ぼしやすい金属製の部材から離れた位置に固着されている。
【００２５】
また、図１に示すように、遊技領域１０には、上記した部材以外にも、種々の電飾ランプ、風車及び多数の障害釘等が設けられている。
【００２６】
次に、図３に基づいてパチンコ機１の裏面について説明する。パチンコ機１の裏面の左下方には、パチンコ機１の遊技内容に関する作動を制御するためのメイン制御基板を収納したメイン制御ボックス８０が設けられている。そして、メイン制御ボックス８０の上方のセンターカバー８２の内部には、鍵タグと赤外線送受信手段との間で行われる赤外線送受信を制御するための赤外線管理手段であるリーダ／ライタユニット（以下、Ｒ／Ｗユニットという）８３が設置されている。また、このＲ／Ｗユニット８３は、遊技枠及び前面枠における各ＩＤタグとアンテナとの間で行われるＲＦＩＤ通信を制御し、遊技枠３及び前面枠４の開閉状態の監視も行う。
【００２７】
図１０は、Ｒ／Ｗユニット８３の制御機構を示したものであり、Ｒ／Ｗユニット８３は、制御ＣＰＵ８４、ＲＡＭ８５、ＲＯＭ８６、ＥＥＰＲＯＭ（記憶手段）８７、タイマ８８、赤外線送受信手段３０の錠回路３１と伝送線９５を介して接続されたＩＲ回路８９、機枠アンテナ１５及び前面枠アンテナ１７と同軸ケーブル６３を介して接続されたＲＦ回路９０等を有している。そして、ＥＥＰＲＯＭ８７の上書禁止区域にはホール内で利用される鍵の鍵識別情報や機枠識別情報等を含む遊技機識別情報（第２の固有の識別情報）が登録されている。また、制御ＣＰＵ８４が、Ｉ／Ｏインタフェイス９２を介して、メイン制御ボックス８０、前面枠４に設置された表示器４５、パソコン等の外部端末（出力手段）等と接続されている。なお、Ｒ／Ｗユニット８３は、パチンコ機１が設置される島設備から電源供給を受けるようになっており、また伝送線９５及び同軸ケーブル６３等を介して赤外線送受信手段３０、機枠アンテナ１５、及び前面枠アンテナ１７も電源供給を受けることが可能となっている。
【００２８】
このように構成されたＲ／Ｗユニット８３は、ＩＲ回路８９及びＲＦ回路９０を介して各アンテナ及び赤外線送受信手段３０から常時（２４時間）呼出信号を発信している。そして、機枠アンテナ１５及び前面枠アンテナ１７においては、それぞれ機枠タグ１４及び前面枠タグ１６からの反射波を受信すると、再度呼出信号を発信するという開閉監視動作を、短時間（約数十ｍｓ）の周期で繰り返し実行している。
【００２９】
（３）実施例のパチンコ機の動作内容
まず、パチンコ機１の認証動作及び監視動作について、図１１に示されている遊技機の監視プログラムに沿って説明する。
Ｒ／Ｗユニット８３は、上記の如く機枠アンテナ１５を介して常時呼出信号を機枠タグ１４へと発信しているため、ステップ１（以下、Ｓ１とする）において、機枠タグ１４からの反射波を受信した場合には、Ｓ２へと進み、反射波に含まれている機枠識別情報がＥＥＰＲＯＭ８７に予め登録されている遊技機識別情報の一部と一致するか否かを判定する。そして、反射波の機枠識別情報が遊技機識別情報の一部と一致した場合には、Ｓ３へと進み、Ｒ／Ｗユニット８３は、前面枠タグ１６からの反射波を受信したか否かを判定する。ここで、反射波を受信した場合には、Ｓ４へと進み、その反射波に含まれている前面枠識別情報がＥＥＰＲＯＭ８７に予め登録されている遊技機識別情報の一部と一致するか否かを判定し、一致していた場合には、正常であると判断し、Ｓ１へと戻る。
【００３０】
一方、Ｓ２及びＳ４の判定において、機枠識別情報及び前面枠識別情報が遊技機識別情報と一致しなかった場合には、受信した機枠識別情報及び前面枠識別情報をＲ／Ｗユニット８３のタイマ８８に基づいて、受信した時刻とともにＥＥＰＲＯＭ８７に記憶する。そして、Ｓ５において、遊技枠３及び前面枠４等が不正に取り替えられた可能性がある、或いは機枠タグ１４及び前面枠タグ１６が不正に取り替えられた可能性がある旨等を表示器４５に表示するとともに、パソコン等の外部端末へと出力する。
【００３１】
また、Ｓ１の判定において、機枠アンテナ１５が機枠タグ１４からの反射波を受信していないと判定された場合には、Ｒ／Ｗユニット８３は、遊技枠３が開放された状態であると判断し、Ｓ６において、遊技枠３が開放された時刻を記憶する。そして、Ｓ７へと進み、赤外線管理手段において正規な鍵２１を認証しているか否かを判定する。ここで、Ｒ／Ｗユニット８３は、鍵２１を認証中であれば、正常であると判断し、Ｓ３へと進む。一方、鍵２１を認証していない場合（Ｒ／Ｗユニット８３のＥＥＰＲＯＭ８７に登録されていない鍵識別情報を有した鍵を利用している場合及び何ら鍵を用いていない場合）には、正常でないと判断し、Ｓ８において、表示器４５に不正行為が行われている可能性がある旨を表示するとともに、パソコン等の外部端末へと出力する。なお、不正な鍵が利用されていた場合には、その鍵識別情報を受信した時刻とともにＥＥＰＲＯＭ８７に記憶する。
【００３２】
さらに、Ｓ３の判定において、前面枠アンテナ１７が前面枠タグ１６からの反射波を受信していないと判定された場合には、Ｒ／Ｗユニット８３は、前面枠４が開放された状態であると判断し、Ｓ９において、前面枠４が開放された時刻を記憶する。そして、Ｓ１０へと進み、赤外線管理手段において正規な鍵２１を認証しているか否かを判定する。ここで、Ｒ／Ｗユニット８３は、鍵２１を認証中であれば、正常であると判断し、Ｓ１へと戻る。一方、鍵２１を認証していない場合（Ｒ／Ｗユニット８３のＥＥＰＲＯＭ８７に登録されていない鍵識別情報を有した鍵を利用している場合及び何ら鍵を用いていない場合）には、正常でないと判断し、Ｓ７において、表示器４５に不正行為が行われている可能性がある旨を表示するとともに、パソコン等の外部端末へと出力する。なお、不正な鍵が利用されていた場合には、その鍵識別情報を受信した時刻とともにＥＥＰＲＯＭ８７に記憶する。
上記の如く、このような監視動作をパチンコ機１は常時（２４時間）短時間の周期で繰り返し実行している。
【００３３】
ここで、遊技枠の開閉状態を監視する監視動作について詳述する。
パチンコ機１は、遊技枠３の開閉状態を監視するために、Ｒ／Ｗユニット８３のＲＦ回路９０から、遊技枠３に固着された機枠アンテナ１５を介して、機枠２に固着された機枠タグ１４に対して、所定の周波数（１３．６５ＭＨｚ）の呼出波を送信する。遊技枠３が閉じた状態であれば、機枠タグ１４は呼出波を受信し、直ちに、ＥＥＰＲＲＯＭ５７内から機枠識別情報を呼び出し、その機枠識別情報を含めた反射波を送信する。機枠タグ１４が反射波を送信すると、Ｒ／Ｗユニット８３は、機枠アンテナ１５によって、その反射波を受信する。Ｒ／Ｗユニット８３は、反射波に含まれる機枠識別情報が正しいものであるかどうかを判定（Ｒ／Ｗユニット８３に記憶された遊技機識別情報の一部と一致するか否かを判定）し、正しいものであると確認すると、再度、直ちに呼出波を送信する。ここで、機枠識別情報が正しくないと判定された場合には、Ｒ／Ｗユニット８３は、その機枠識別情報を受信した時刻（タイマ８８で検知）とともにＥＥＰＲＯＭ８７に記憶し、不正の機枠タグ１４が取り付けられた可能性があることを表示器４５に表示し、さらに外部端末へと出力する。
【００３４】
また、機枠タグ１４と機枠アンテナ１５との間でＲＦＩＤ通信は、上述の如く通信可能な距離が約１０ｍｍであるため、遊技枠３が開放された状態となると、機枠タグ１４と機枠アンテナ１５との間でＲＦＩＤ通信は不可能となる。そして、Ｒ／Ｗユニット８３は、機枠アンテナ１５からの呼出波に対する反射波を受信しなくなった時刻をＥＥＰＲＯＭ８７に記憶する。その後、遊技枠３が閉じられてＲＦＩＤ通信が復帰すると、Ｒ／Ｗユニット８３はＲＦＩＤ通信が復帰した時刻も記憶し、開放された時間をも算出し記憶する。
さらに、Ｒ／Ｗユニット８３では、呼出波に対する反射波を受信しなかったにもかかわらず、後述する鍵タグと赤外線送受信手段との間で行われる認証動作が行われていない場合には、不正に遊技枠３が開放されている可能性があると判断し、その旨を時刻とともにＥＥＰＲＯＭ８７に記憶した上、表示器４５に不正開放が行われている可能性がある旨を表示し、外部端末へと出力する。したがって、鍵２１を用いずに遊技枠３を無理矢理開放させた事態をも知ることができる。
【００３５】
一方、前面枠の開閉状態を監視する監視動作は、前面枠タグ１６及び前面枠アンテナ１７との間で、遊技枠における監視動作と同様のＲＦＩＤ通信を用いた監視動作が行われている。
なお、前面枠の監視動作においても、Ｒ／Ｗユニット８３が正常でない状態を検知した場合には、その旨を時刻とともにＥＥＰＲＯＭ８７に記憶する。
【００３６】
次に、鍵タグと赤外線送受信手段との間で行われる認証動作について詳述する。
かかる認証動作は、鍵２１をシリンダ錠１３に差し込んだ場合にのみ行われるものであって、上記の如く赤外線送受信を利用したものである。
鍵２１をシリンダ錠１３に差し込むと、シリンダ錠１３の赤外線送受信手段３０と鍵２１の鍵タグ２９とが向かい合うため、赤外線送受信手段３０の錠発光ダイオード３２から常時発信されている呼出コードを含めた赤外線からなる呼出発光信号は、対峙する位置に設けられた鍵タグ２９の鍵受光ダイオード２５で受信される。その際、鍵受光ダイオード２５は赤外線により照射された状態となっているため、鍵回路２８は十分な電圧（約１．１Ｖ〜約１．７Ｖ）を得ることができる。したがって、次に、ＣＰＵ２６が動作可能となり、鍵ＥＥＰＲＯＭ２７に予め記憶されている鍵識別情報を呼び出し、その鍵識別情報を含めた赤外線からなる返信発光信号を鍵発光ダイオード２４から送信する。
【００３７】
そして、赤外線送受信手段３０は、その返信発光信号を錠受光ダイオード３３で受信すると、鍵タグ２９から送られてきた鍵識別情報をＲ／Ｗユニット８３へと伝送し、Ｒ／Ｗユニット８３においてＲＡＭ８５に読み込んだ後、Ｒ／Ｗユニット８３においてＥＥＰＲＰＭ８７に予め登録されている遊技機識別情報と比較し、一致或いは不一致の判定を行う。
もし、不一致であった場合には、受信した鍵識別情報を受信した時刻とともにＥＥＰＲＯＭ８７に記憶する。
【００３８】
次に、パチンコ機１の遊技動作及び制御動作について説明する。パチンコ機１は、メイン制御ボックス８０に収納されたメイン制御基板に記憶されたプログラムにしたがって、主たる遊技動作を実行する。そして、発射ハンドル７０の回転操作によって遊技領域１０に打ち出された遊技球が図柄始動口４８に入賞すると、ＬＳＩ８１で「抽選」を実行し、「大当たり」を生起させるか否かを決定する。また、「抽選」を実行すると略同時に、図柄表示装置４７の液晶画面に表示された図柄を変動させ（他の図柄と順々に入れ替わる動画を表示し）、所定時間後に停止させて新たな図柄を表示する。さらに、「抽選」において「大当たり」が生起した場合には、図柄の変動後に、予め設定された「大当たり図柄」を表示するとともに、「大当たり状態」を生起させて、アタッカ装置５０の開閉扉４９を。所定回数だけ断続的に開放させる。なお、アタッカ装置５０の開閉扉４９は、「大当たり状態」生起時以外では開放しないようになっている。一方、開閉扉４９の内部の大入賞口や各種の入賞装置に遊技球が入賞した場合には、所定数の遊技球を賞品球として供給皿６８に払い出す。
【００３９】
（４）実施例のパチンコ機の効果
パチンコ機１は、上記の如く、鍵タグ２９と赤外線送受信手段３０との間で送受信を行う手段として金属に影響されにくい赤外線を利用している。そして、赤外線を利用する回路はより小型化が可能である。したがって、赤外線送受信手段３０は、金属で形成されることの多い鍵２１の突出部２２の凹部２３といった狭いスペースにも組み込むことが可能であり、従来より使用されている鍵に設置することができる。よって、パチンコ機１は、従来のパチンコホールに設置されているパチンコ機の鍵及びシリンダ錠のみを付け替え、Ｒ／Ｗユニット８３を搭載させるだけで製造可能であり、従来のパチンコ機を廃棄・全体を交換する必要性がないため、非常に生産性及び経済性に優れており、環境にも配慮することができる。また、鍵タグ２９及び赤外線送受信手段３０等を金属により形成された部材（鍵２１、シリンダ錠１３等）や金属部材付近に設置したとしても誤作動等を引き起こす心配はない。
さらに、赤外線は、電磁波や電波等と比較して指向性が強いという特性を有しているため、パチンコ機１の施錠部７はより秘匿性に優れており、合い鍵等の作製が困難となる。したがって、パチンコ機１は、遊技枠３及び前面枠４が不正に開放される事態を効果的に防止することができる。加えて、鍵タグ２９が鍵２１の凹部２３内に収納されており、鍵の表面は略面一となっているため、鍵２１をシリンダ錠１３へ差し込む際に引っかかるおそれがない。したがって、パチンコ機１は、長期にわたって使用され、遊技枠を何度も開閉されたとしても故障しにくい。
【００４０】
さらに、ダイオードに赤外線を照射すれば、ダイオードに接続された回路は電圧を得ることができるという特性を利用したものであるため、施錠部７の鍵２１に新たな電源を備える必要はない。したがって、パチンコ機１の施錠部７を容易に構成することができる上、経済性に優れたものとすることができる。
さらにまた、遊技枠３及び前面枠４が開放されているにもかかわらず、鍵タグと赤外線送受信手段との間において認証動作が行われていない場合には、Ｒ／Ｗユニット８３は、直ちに不正に開放されている可能性があると判断し、ＥＥＰＲＯＭ８７に遊技枠３及び前面枠４が開放された時刻を記憶するとともに、表示器４５等に不正行為が行われている可能性がある旨を報知し、外部端末へと出力する。したがって、パチンコ機１は、遊技枠３及び前面枠４を強制的に開放させるという不正行為を効果的に防止することができるとともに、その発見を容易なものとすることができる。
【００４１】
その上、パチンコ機１は、シリンダ錠１３に鍵２１が差し込まれた場合、鍵２１の鍵タグ２９に記憶された鍵識別情報をＲ／Ｗユニット８３のＲＡＭ８５に読み込み、ＥＥＰＲＯＭ８７に予め登録されている遊技機識別情報と比較判定するため、不正な鍵の利用等を発見することが可能である。加えて、Ｒ／Ｗユニット８３は、鍵識別情報と遊技機識別情報との比較判定の結果、不一致であった場合には、その鍵識別情報を受信した時刻とともにＥＥＰＲＯＭ８７に記憶する。したがって、パチンコ機１は、何時不正な鍵が使用されたかを容易に知ることができるものであるため、より防犯性の高いものとなる。
また、遊技枠３及び前面枠４のいずれか一方でも開放されているにもかかわらず、赤外線管理手段において不正な鍵識別情報が認証された場合には、遊技枠３及び前面枠４が開放された時刻及び不正な鍵識別情報を記憶するとともに、表示器４５等を用いて外部に不正行為が行われている可能性がある旨を報知し、外部端末へと出力する。したがって、不正な鍵を用いて遊技枠３及び前面枠４を開放する行為をも効果的に防止することができるとともに、その発見を容易なものとすることができる。
【００４２】
さらに、遊技枠３及び前面枠４が開放された情報や鍵識別情報は全て時刻とともにＥＥＰＲＯＭ８７に登録されるため、パチンコ機１の遊技枠３及び前面枠４を何時どの鍵を用いて開放したかを知ることができるため、パチンコホールの店員等による不正を効果的に防止することもできる。
【００４３】
（５）本発明の変更例の説明
本発明の遊技機は、上記実施形態の態様に何ら限定されるものではなく、基板、鍵タグ、錠機構、各ＩＤタグ、各アンテナ、前面枠、遊技枠、装飾部材、連結部材、係止部材等の材料、形状、構造等の構成を本発明の趣旨を逸脱しない範囲内で適宜変更することができる。たとえば、実施例では遊技機としてパチンコ機を採用したが、スロットマシン、その他ゲーム機に適用したとしても勿論何ら問題はない。さらに、実施例では鍵タグと赤外線送受信手段との間で行われる認証動作のみを赤外線送受信によるものとしたが、遊技枠及び前面枠等において行われる無線通信も赤外線送受信を利用するものとすることも可能である。
【００４４】
また、上記実施形態では、鍵タグを鍵の突出部に、赤外線送受信手段をシリンダ錠内に夫々設置したものとしたが、鍵をシリンダ錠に差し込んだ場合にのみ赤外線送受信が可能となるのであれば、鍵タグを鍵の持ち手部に、赤外線送受信手段をシリンダ錠の外部側表面に夫々設置してもよい。さらにまた、実施形態では、不正を報知する出力手段として表示器を採用したが、スピーカ等により音によって報知するものとしてもよいし、ランプ等を点滅させることによって報知するようにしてもよい。さらに、図柄表示装置に特別な図柄を表示する構成としてもよい。つまるところ、周囲の人に報知する構成であれば、表示器に表示する構成に何ら限定されることはない。
【００４５】
さらにまた、鍵タグ及び赤外線送受信手段における発光ダイオード及び受光ダイオードを取り付ける位置は、発光ダイオードと受光ダイオードとが夫々赤外線送受信可能となるような位置に取り付けられているのであれば、実施形態のようにそれぞれが対峙する位置に設けられる態様に何ら限定されることはない。加えて、施錠部における係止部材や連結部材等の構成は適宜変更可能でって、たとえば係止部材は連結部材の下端にのみ設けられているものとし、連結部材を短く形成したものとしてもよく、機枠と遊技枠との係合が保持できる構成であればよい。
【００４６】
さらに、遊技機は、前面枠に二重のガラス板を嵌め込んだものに限定されず、前面枠にガラス板を１枚だけ嵌め込んだものでもよく、前面枠及び遊技枠の形状等については実施形態に記載の形状に限定されることはない。勿論、前面枠に嵌め込む透明板は、ガラス板に限定されず、アクリル等の合成樹脂製の板に変更することも可能である。
【００４７】
さらにまた、鍵は、その片側一面に１つの鍵タグが組み込まれているものに限定されず、鍵タグを複数組み込んだものとしてもよいし、鍵の両面に鍵タグを組み込んだものとしてもよい。また、鍵タグを鍵の凹部に組み込むものとせず、鍵の表面から突出させてもよい。加えて、上記実施形態の如く、遊技枠及び前面枠の両方で監視動作を行う構成とせず、どちらか一方のみにおいて監視動作を行う構成としてもよいし、開閉扉等の可動部となる遊技部材にＩＤタグ及び送受信手段を設けてもよい。さらにまた、各ＩＤタグを固着する方法及び鍵タグを凹部に固着する方法は、接着剤によって接着する方法であってもよいし、鍵タグ及び各ＩＤタグを裏面に粘着剤を塗布したシールとするとともに、粘着剤層の表面に剥離紙を貼着しておき、設置する際に剥離紙を剥離して貼着するように構成してもよい。そうすれば、鍵タグ及び各ＩＤタグの固着が非常に容易になる、というメリットがある。また、ＩＤタグに関しては、ＩＤタグを構成する樹脂を遊技枠及び前面枠に融着させる方法や、一体成形によりＩＤタグを遊技枠及び前面枠の内部に埋設する方法等を採用することができる。
【００４８】
また、鍵タグ及びＩＤタグは、遊技機の出荷時に識別情報を記憶させたものばかりでなく、メーカーＩＤやホールＩＤ等の識別情報をも記憶させたもの等でもよい。また、実施例では鍵タグと赤外線送受信手段との間で行われる認証動作、及び遊技枠、前面枠における監視動作を一つのＲ／Ｗユニット（管理手段）で管理する構成としたが、それぞれ個別の管理手段を設けてもよい。
【００４９】
一方、赤外線送受信手段及び各アンテナを、裏面に粘着剤を塗布したシールとするとともに、粘着剤層の表面に剥離紙を貼着しておき、設置する際に剥離紙を剥離して貼着するようにすれば、固着が非常に容易になる、というメリットがある。また、各アンテナは、遊技枠及び前面枠の内部に送受信回路を直接的に設けることによって、各アンテナを遊技枠及び前面枠と一体に形成することも可能である。
【００５０】
さらに、上記の如く、鍵タグ、各ＩＤタグ、赤外線送受信手段、及び各アンテナをシールとする場合には、それらが剥離された場合に機能を果たさなくなるようにする（いわゆる、自己破壊タイプのものとする）ことも可能である。そのように構成した場合には、遊技機が奏する遊技枠や前面枠等の不正開放防止機能をより精度の高いものとすることが可能となる。なお、タグやアンテナを自己破壊タイプのものとする方法としては、フレキシブルプリント基板の表面に積層する粘着剤層中に送受信回路を形成する方法や、剥離によって所定量以上の応力が加わると短絡するような回路をタグやアンテナに設ける（内蔵させる）方法等を採用することができる。
【００５１】
加えて、Ｒ／Ｗユニットは、テンキー等の入力手段が設けられており、所定の入力をすることによって、パチンコホール内で新しい鍵識別情報を記憶された鍵が使用される場合等にＲ／ＷユニットのＥＥＰＲＯＭに順次追加登録ができるように構成したとしてもよい。なお、Ｒ／Ｗユニットを、上記実施形態の如く、ごく短期間の周期で定期的な監視を行うものとした場合には、不正行為が行われた事態をリアルタイムで把握することができる、というメリットがある。また、Ｒ／Ｗユニットは、異常を検知した旨を不揮発性の記憶手段であるＥＥＰＲＯＭに記憶するものに限定されず、通常のＲＯＭ、ＲＡＭ、ハードディスク、光メディア等の記憶手段に記憶するもの等でもよい。さらに、Ｒ／Ｗユニットは、パチンコ機が設置される島設備から電源供給を受けるものに限定されず、パチンコ機から電源供給を受けるもの等でもよい。
【００５２】
また、Ｒ／Ｗユニットは、携帯端末（たとえば、ＰＤＡや携帯電話）等の外部の機器からの呼び出しに応じて、記憶手段に記憶させた監視履歴に関する情報を出力するものとすることも可能である。さらに、Ｒ／Ｗユニットに記憶された監視履歴に関する情報等を外部サーバに出力し、外部サーバにて記憶することも当然可能であるし、外部サーバにて不正行為の報知を行うようにしてもよい。
さらにまた、鍵識別情報をその鍵を利用する店員の名前と関連づけて登録しておくことも可能である。このようにすることで、何時誰が鍵を用いたのかを容易に知ることができ、より遊技機を確実に監視することができる。
【図面の簡単な説明】
【００５３】
【図１】パチンコ機の正面図である。
【図２】遊技枠及び前面枠を片開きにした状態のパチンコ機を前方から見た斜視図である。
【図３】遊技枠及び前面枠を片開きにした状態のパチンコ機を後方から見た斜視図である。
【図４】鍵及びシリンダ錠の説明図である。
【図５】鍵タグ及び赤外線送受信手段の制御機構を示すブロック図である。
【図６】鍵の部分拡大図である。
【図７】ＩＤタグの正面図である。
【図８】ＩＤタグの制御機構を示すブロック図である。
【図９】アンテナの正面図である。
【図１０】Ｒ／Ｗユニットの制御機構を示すブロック図である。
【図１１】鍵及びシリンダ錠の監視動作を実行するためのプログラムの一例を示すフローチャートである。
【図１２】従来のパチンコ機の説明図である。
【符号の説明】
【００５４】
１・・パチンコ機、２・・機枠、３・・遊技枠、４・・前面枠、７・・施錠部、１３・・シリンダ錠、１４・・機枠タグ、１５・・機枠アンテナ、１６・・前面枠タグ、１７・・前面枠アンテナ、２１・・鍵、２８・・鍵回路、２９・・鍵タグ、３０・・赤外線送受信手段、８３・・Ｒ／Ｗユニット。
【図１】
2005065864.tif 000003
【図２】
2005065864.tif 000004
【図３】
2005065864.tif 000005
【図４】
2005065864.tif 000006
【図５】
2005065864.tif 000007
【図６】
2005065864.tif 000008
【図７】
2005065864.tif 000009
【図８】
2005065864.tif 000010
【図９】
2005065864.tif 000011
【図１０】
2005065864.tif 000012
【図１１】
2005065864.tif 000013
【図１２】
2005065864.tif 000014